(57)【特許請求の範囲】
【請求項１】
伝送容量の大きいデータ放送を受信する受信機と、
前記伝送容量の大きいデータ放送の情報を保存するための保存手段及び伝送容量の小さい第二のデータ放送を受信可能な第二の放送デコーダを有する携帯情報端末と、
前記伝送容量の大きいデータ放送を受信する受信機から該データ放送の情報を入力する第一インターフェースと、前記携帯情報端末が載置されたとき、該携帯情報端末に電力を供給する電力供給手段と、前記携帯情報端末が載置されたとき、前記第一インターフェースから入力されたデータ放送の情報を該携帯情報端末に出力する第二インターフェースと、を備え、前記携帯情報端末が載置されたとき、前記伝送容量の大きいデータ放送の情報を、前記携帯情報端末に転送する受信機連結型充電器と、
を利用し、放送局が放送伝送路を使用してデータ放送するデータ放送システムであって、
前記受信機連結型充電器は、前記携帯情報端末が載置されたとき、前記伝送容量の大きいデータ放送の情報を、前記携帯情報端末に転送し、
前記携帯情報端末は、携帯される際に、前記第二の放送デコーダによって、前記伝送容量の小さい第二のデータ放送を、前記放送局から放送した前記伝送容量の大きいデータ放送データ放送との差分として、受信することを特徴とするデータ放送システム。
【請求項２】
伝送容量の大きいデータ放送を受信する受信機と、
前記伝送容量の大きいデータ放送の情報を保存するための保存手段及び伝送容量の小さい第二のデータ放送を受信可能な第二の放送デコーダを有し、利用者の個人情報や嗜好に関するプロファイルデータを保存する携帯情報端末と、
前記伝送容量の大きいデータ放送を受信する受信機から該データ放送の情報を入力する第一インターフェースと、前記携帯情報端末が載置されたとき、該携帯情報端末に電力を供給する電力供給手段と、前記携帯情報端末が載置されたとき、前記第一インターフェースから入力されたデータ放送の情報を該携帯情報端末に出力する第二インターフェースと、を備え、前記携帯情報端末が載置されたとき、前記第一インターフェース及び前記第二インターフェースを介して、前記携帯情報端末から前記プロファイルデータを前記受信機に転送すると共に、受信した前記プロファイルデータに基づいて前記受信機が抽出した前記伝送容量の大きいデータ放送の情報のみを、前記携帯情報端末に転送する受信機連結型充電器と、
を利用し、放送局が放送伝送路を使用してデータ放送するデータ放送システムであって、
前記受信機連結型充電器は、前記携帯情報端末が載置されたとき、前記携帯情報端末から前記プロファイルデータを前記受信機に転送すると共に、受信した前記プロファイルデータに基づいて前記受信機が抽出した前記伝送容量の大きいデータ放送の情報のみを、前記携帯情報端末に転送し、
前記携帯情報端末は、携帯される際に、前記第二の放送デコーダによって前記伝送容量の小さい第二のデータ放送を、前記放送局から放送した前記伝送容量の大きいデータ放送データ放送との差分として、受信することを特徴とするデータ放送システム。
【発明の詳細な説明】
【０００１】
【発明の属する技術分野】
本発明は、マルチメディア放送などの情報を蓄積して携帯中に利用することができる携帯情報端末に該情報を転送する受信機連結型充電器およびこの受信機連結型充電器を利用したデータ放送システムに関する。
【０００２】
【従来の技術】
一般に、データ放送を受信し、受信したデータ放送の情報（データ放送コンテンツ）を保存するメモリを備えたホームサーバ（受信機）が知られている。このホームサーバが保存したデータ放送の情報を携帯電話等の携帯情報端末に転送して、利用したいとの要請があり、以下に記す方法が提唱されている。
【０００３】
（１）ホームサーバと携帯情報端末とをケーブルによって接続し、ホームサーバから携帯情報端末に情報を転送する方法。
【０００４】
（２）ホームサーバと携帯情報端末間に、無線或いは赤外線通信手段を設け、ホームサーバ及び携帯情報端末を無線或いは赤外線通信手段によって通信可能になる位置に配置後、無線或いは赤外線通信手段を介して、ホームサーバから携帯情報端末に情報を転送する方法。
【０００５】
（３）ホームサーバのメモリにメモリカード、メモリスティック、小型のハードディスク等の着脱自在なメモリデバイスを使用し、データ放送受信後、このメモリデバイスを取り外して、携帯情報端末に取り付けて情報を入力する方法。
【０００６】
【発明が解決しようとする課題】
しかしながら、従来提唱されている方法では、ホームサーバと携帯情報端末とをケーブルによって接続する操作、ホームサーバ及び携帯情報端末を無線或いは赤外線通信手段によって通信可能になる位置に配置する操作、着脱自在なメモリデバイスをホームサーバから取り外して、携帯情報端末に取り付ける操作、を経て、それぞれを通信可能な状態にした上で、情報の転送開始を指示する操作を要すなど、ホームサーバから携帯情報端末に情報を転送する際に、利用者に煩雑な操作を要求するという問題がある。
【０００７】
本発明の目的は、前記した従来提唱されている方法が有する問題を解消し、利用者に煩雑な操作を要求することなく、ホームサーバから携帯情報端末に情報を転送できる受信機連結型充電器およびこの受信機連結型充電器を利用したデータ放送システムを提供することにある。
【０００８】
【課題を解決するための手段】
請求項１に記載の発明は、伝送容量の大きいデータ放送を受信する受信機と、前記伝送容量の大きいデータ放送の情報を保存するための保存手段及び伝送容量の小さい第二のデータ放送を受信可能な第二の放送デコーダを有する携帯情報端末と、前記伝送容量の大きいデータ放送を受信する受信機から該データ放送の情報を入力する第一インターフェースと、前記携帯情報端末が載置されたとき、該携帯情報端末に電力を供給する電力供給手段と、前記携帯情報端末が載置されたとき、前記第一インターフェースから入力されたデータ放送の情報を該携帯情報端末に出力する第二インターフェースと、を備え、前記携帯情報端末が載置されたとき、前記伝送容量の大きいデータ放送の情報を、前記携帯情報端末に転送する受信機連結型充電器と、を利用し、放送局が放送伝送路を使用してデータ放送するデータ放送システムであって、前記受信機連結型充電器は、前記携帯情報端末が載置されたとき、前記伝送容量の大きいデータ放送の情報を、前記携帯情報端末に転送し、前記携帯情報端末は、携帯される際に、前記第二の放送デコーダによって、前記伝送容量の小さい第二のデータ放送を、前記放送局から放送した前記伝送容量の大きいデータ放送データ放送との差分として、受信することを特徴とするデータ放送システムである。
【００１２】
請求項２に記載の発明は、伝送容量の大きいデータ放送を受信する受信機と、前記伝送容量の大きいデータ放送の情報を保存するための保存手段及び伝送容量の小さい第二のデータ放送を受信可能な第二の放送デコーダを有し、利用者の個人情報や嗜好に関するプロファイルデータを保存する携帯情報端末と、前記伝送容量の大きいデータ放送を受信する受信機から該データ放送の情報を入力する第一インターフェースと、前記携帯情報端末が載置されたとき、該携帯情報端末に電力を供給する電力供給手段と、前記携帯情報端末が載置されたとき、前記第一インターフェースから入力されたデータ放送の情報を該携帯情報端末に出力する第二インターフェースと、を備え、前記携帯情報端末が載置されたとき、前記第一インターフェース及び前記第二インターフェースを介して、前記携帯情報端末から前記プロファイルデータを前記受信機に転送すると共に、受信した前記プロファイルデータに基づいて前記受信機が抽出した前記伝送容量の大きいデータ放送の情報のみを、前記携帯情報端末に転送する受信機連結型充電器と、を利用し、放送局が放送伝送路を使用してデータ放送するデータ放送システムであって、前記受信機連結型充電器は、前記携帯情報端末が載置されたとき、前記携帯情報端末から前記プロファイルデータを前記受信機に転送すると共に、受信した前記プロファイルデータに基づいて前記受信機が抽出した前記伝送容量の大きいデータ放送の情報のみを、前記携帯情報端末に転送し、前記携帯情報端末は、携帯される際に、前記第二の放送デコーダによって前記伝送容量の小さい第二のデータ放送を、前記放送局から放送した前記伝送容量の大きいデータ放送データ放送との差分として、受信することを特徴とするデータ放送システムである。
【００１５】
【発明の実施の形態】
以下、本発明の一実施形態を図面に基づいて詳細に説明する。
【００１６】
（第一の実施の形態である受信機連結型充電器を含む装置）
図１は受信機連結型充電器を含む装置の概略を示した構成図である。図１において、符号１は受信機連結型充電器を含む装置を示している。受信機連結型充電器を含む装置１は、受信機（ホームサーバ）３と、携帯情報端末５と、受信機連結型充電器７とを備えて構成されている。以下、各構成を説明する。
【００１７】
（受信機（ホームサーバ））
受信機３は、図２に示すように、放送局から放送されたデータ放送の電波を受信し、この電波から情報信号（データ放送の情報）に変換する放送デコーダ１３と、このデータ放送の情報を蓄積する蓄積部１５とから構成されている。この実施形態のように、蓄積部１５を備える受信機３は、一般的に、ホームサーバと称呼されている。この明細書中、受信機３及びホームサーバは同義語として取り扱うものとする。
【００１８】
（受信機連結型充電器）
受信機連結型充電器７は、図２に示すように、受信機３から受信機連結型充電器７にデータ放送の情報を入力するための第一インターフェース９と、携帯情報端末５に電力を供給する電力供給手段である充電部１７と、第一インターフェース９から入力されたデータ放送の情報を携帯情報端末５に出力する第二インターフェース１１とを備えて構成されている。
【００１９】
また、受信機連結型充電器７と携帯情報端末５との受信機連結型充電器７側の当接面には、携帯情報端末５が受信機連結型充電器７に載置された際に、携帯情報端末５の自重によって押される押圧式の載置検出手段（図示せず）、あるいは、携帯情報端末５と受信機連結型充電器７との電気的接続状態により携帯情報端末５の載置を検出する電気式の載置検出手段（図示せず）が備えられている。
【００２０】
この実施の形態では、第一インターフェース９は、受信機３と受信機連結型充電器７とを連結する信号ケーブルによって構成されている。但し、第一インターフェース９は、信号ケーブル等の有線の伝送路に限定されるものではなく、例えば、受信機３と受信機連結型充電器７との間に無線或いは赤外線通信手段を設け、受信機３と受信機連結型充電器７とをデータ放送の情報を無線或いは赤外線通信可能に構成してもよい。
【００２１】
第二インターフェース１１の形状は、例えば、携帯情報端末５が携帯電話である場合には、携帯電話の下端面に設けられたコネクタと接続可能に形成されるとともに、携帯電話に電力を供給する供給用のプラス端子及びマイナス端子が一体的に含まれるように形成されている。
【００２２】
電力供給手段（充電部）１７は、図１に示したように、一般家庭において使用される交流１００Ｖ用のコンセントと、このコンセントから供給される交流電気を携帯情報端末５用の直流電気に変換する変換部（図示せず）と、変換した直流電気を携帯情報端末５に流す端子を含む端子部（図示せず）とを備えて構成され、後述する携帯情報端末５の二次電池に電力を供給する。
【００２３】
（携帯情報端末）
携帯情報端末５は、図２に示すように、転送されたデータ放送の情報を保存する保存部１９と、携帯情報端末５の制御を司るＣＰＵ及び基本システムソフトを内蔵するＲＯＭ及び利用者のプロファイルデータ（利用者が設定可能な利用者個人の個人情報や嗜好等に関するデータ）を保存するＲＡＭ等を含むブラウザ部２１と、携帯情報端末５の利用者に、データ放送の情報等を表示し、携帯情報端末５の利用者が携帯情報端末５を使用する際に操作する表示操作部２３と、携帯情報端末５の駆動電力を貯える二次電池２５とを備えて構成されている。
【００２４】
さらに、携帯情報端末５は、受信機連結型充電器７の第二インターフェース１１に接続可能な接続部（図示せず）を備えている。
【００２５】
また、携帯情報端末５のブラウザ部２１は、プロファイルデータに基づいて携帯情報端末５の利用者がデータ放送の情報から要求する情報を抽出するフィルタ（図示せず）を備えている。
【００２６】
一般に携帯情報端末５の利用者は、データ放送の全ての情報を必要としているわけではなく、必要な情報は個人の性格、趣味、嗜好等によって異なる。さらに、データ放送では、ＩＤ信号、番組名、ジャンルなどデータ放送の情報を識別する識別信号が各情報に付加されて放送されている。フィルタは、携帯情報端末５の利用者の予約している番組や好みのジャンル等のプロファイルデータに従って各情報の識別信号を選別し、必要と判断された情報を抽出し、このフィルタによって抽出された情報は、携帯情報端末５の保存部１９に保存される。
【００２７】
このフィルタの使用の態様を以下に示す。
▲１▼受信機３は、蓄積部１５に蓄積されているデータ放送の情報の全てを、受信機連結型充電器７を介して、データ放送の全ての情報が受信機連結型充電器７の第二インターフェース１１から携帯情報端末５に入力されるときに、プロファイルデータに基づいて、必要な情報を抽出してから携帯情報端末５の保存部１９に保存する。
【００２８】
この▲１▼の場合は、携帯情報端末５内で処理が行われるので、利用者のプロファイルデータが携帯情報端末５外に漏洩しないという利点がある。
【００２９】
▲２▼受信機３から携帯情報端末５に受信機連結型充電器７を介してデータ放送の情報転送に先立って、携帯情報端末５からプロファイルデータを受信機３に受信機連結型充電器７を介して送信し、受信機３では、このプロファイルデータと受信したデータ放送の全ての情報に含まれているＩＤ信号とを比較して、必要な情報を抽出し、この抽出した情報のみを、受信機３から携帯情報端末５に受信機連結型充電器７を介して転送して、保存部１９に保存する。
【００３０】
この▲２▼の場合は、携帯情報端末５からプロファイルデータを受信機３に受信機連結型充電器７を介して送信するので、利用者のプロファイルデータが携帯情報端末５外に漏洩するおそれはあるが、受信機３から携帯情報端末５に受信機連結型充電器７を介して転送する情報量が少なくて済むという利点がある。
【００３１】
▲３▼受信機３から携帯情報端末５に受信機連結型充電器７を介してデータ放送の情報転送に先立って、携帯情報端末５からプロファイルデータの一部（例えば、携帯情報端末５外に漏洩しても差し支えがないデータ）だけを受信機３に受信機連結型充電器７を介して送信し、受信機３はこのプロファイルデータの一部に基づいて情報を抽出し、この抽出した情報のみを、受信機３から携帯情報端末５に受信機連結型充電器７を介して転送する。携帯情報端末５では、受信機連結型充電器７を介して転送された情報から、プロファイルデータの残りの部分に基づいて、さらに必要な情報のみを抽出してから、携帯情報端末５の保存部１９に保存する。
【００３２】
この▲３▼の場合は、携帯情報端末５からプロファイルデータの一部（携帯情報端末５外に漏洩しても差し支えがないデータ）だけを受信機３に受信機連結型充電器７を介して送信し、受信機３はこのプロファイルデータの一部に基づいて情報を抽出し、この抽出した情報のみを、受信機３から携帯情報端末５に受信機連結型充電器７を介して転送するので、転送する情報量は▲２▼の場合よりも多くなるが、利用者のプロファイルデータのうち、重要なプロファイルデータ（プロファイルデータの残りの部分）が携帯情報端末５外に漏洩しないという利点がある。
【００３３】
▲４▼受信機３が予め、携帯情報端末５からプロファイルデータを受信し、このプロファイルデータに基づいて、受信機３は、受信したデータ放送の情報のうち、必要なデータ放送の情報のみを受信機３の蓄積部１５に蓄積し、このデータ放送の情報を受信機３から携帯情報端末５に受信機連結型充電器７を介して転送し、転送された情報を携帯情報端末５の保存部１９に保存する。
【００３４】
また、この受信機連結型充電器７を含む装置１に、複数の携帯情報端末５が利用される場合は、受信機３は、複数のプロファイルデータから新たなプロファイルデータを構築し、この新たなプロファイルデータに基づいて、受信機３の蓄積部１５にデータ放送の情報を蓄積する。
【００３５】
この▲４▼の場合には、放送局から放送されるデータ放送の情報量が受信機３の蓄積部１５に蓄積可能な情報量を上回る場合であっても、予め蓄積するデータ放送の情報を絞り込むことで、蓄積部１５に必要なデータ放送の情報を蓄積できるという利点がある。
【００３６】
（データ放送の情報が携帯情報端末に保存されるまでの情報の流れ）
次に、データ放送の情報が携帯情報端末５に保存されるまでの情報の流れについて説明する。
【００３７】
放送局からデータ放送によって情報が配信され、受信機３が受信したデータ放送の情報を蓄積部１５に蓄積される。但し、受信機３が蓄積部１５を備えていない場合には、データ放送中にリアルタイムで、受信機３は、放送デコーダ１３から携帯情報端末５の保存部１９に、受信機連結型充電器７を介して情報を転送する。
【００３８】
受信機３の蓄積部１５に蓄積されたデータ放送の情報は、携帯情報端末５に情報が転送されるまで保持されている。受信機３は、受信機連結型充電器７の載置検出手段（図示せず）によって、携帯情報端末５が受信機連結型充電器７に載置されたことが検出されると、データ放送の情報を受信機３の蓄積部１５から携帯情報端末５に転送を開始する。
【００３９】
データ放送の情報は、受信機３の蓄積部１５、第一インターフェース９、第二インターフェース１１を順に通って、携帯情報端末５の保存部１９に保存される。
【００４０】
この実施の形態では、携帯情報端末５が受信機連結型充電器７に載置されたとき、受信機連結型充電器７から携帯情報端末５に電力が供給されると共に、受信機連結型充電器７を介して、データ放送の情報が受信機３の蓄積部１５から携帯情報端末５に転送され、携帯情報端末５の保存部１９に保存される。この際に、携帯情報端末５の利用者が、データ放送の情報から利用者が要求する情報のみを抽出するように予め設定しておくフィルタによって、利用者が要求する情報のみを携帯情報端末５に保存できる。このため、携帯情報端末５の利用者は、携帯情報端末５を受信機連結型充電器７に載置する操作のみで、煩雑な操作を要することなく、データ放送の情報から利用者が要求する情報のみを携帯情報端末５の保存部１９に保存でき、携帯情報端末５を携帯時に必要な情報を利用できる。
【００４１】
（該携帯情報端末及び受信機連結型充電器を含む装置を利用したデータ放送システム）
図２に示した第一の実施の形態である携帯情報端末５および受信機連結型充電器７を含む装置１を利用したデータ放送システムは、携帯情報端末５が、受信機連結型充電器７によって充電されることが予測される時間帯（夜間）に、放送局から集中してデータ放送を実施するものである。この夜間に受信機３の蓄積部１５に蓄積したデータ放送の情報は、受信機連結型充電器７を介して携帯情報端末５に転送され、携帯情報端末５の保存部１９に保存される。
【００４２】
これによれば、携帯情報端末５の利用者は、毎晩、携帯情報端末５を受信機連結型充電器７に載置して充電することで、夜間ごとに新しいデータ放送の情報が携帯情報端末５の保存部１９に保存されるので、携帯情報端末５の利用者は、携帯情報端末５を携帯中に少なくとも１日単位で最新のデータ放送の情報を利用することができる。
【００４３】
（第二の実施の形態である受信機連結型充電器を含む装置）
図３に第二の実施の形態である受信機連結型充電器７を含む装置１Ａを示す。図３に示す受信機連結型充電器７を含む装置１Ａは、図２に示した携帯情報端末５に第二の放送デコーダ２７を加えた構成であるので、他の構成については同一符号を付して説明は省略する。
【００４４】
図３に示す携帯情報端末５Ａは、後述する第二のデータ放送を直接受信可能な第二の放送デコーダ２７を含んで構成されている。この携帯情報端末５Ａの第二の放送デコーダ２７は、受信機３の放送デコーダ１３とは異なり、伝送容量は小さくても携帯受信（移動受信）に適した放送伝送路用の放送デコーダである。また、携帯情報端末５Ａに内蔵するために小型化されている。
データ放送では、大量の情報伝送に適した伝送容量の大きい放送伝送路を使用して、携帯情報端末５、５Ａが受信機連結型充電器７に載置されている時間帯に集中して情報を配信する。第二のデータ放送では、伝送容量は小さくても携帯受信（移動受信）に適した放送伝送路を使用して、携帯情報端末５Ａが携帯されている時間帯に時々刻々新しい情報を配信する。ただし、データ放送と第二のデータ放送とが同一の伝送路であっても差し支えない。例えば、データ放送にはＢＳデジタル放送の放送伝送路を用い、第二のデータ放送では地上デジタル音声放送の放送伝送路を用いる方法がある。また、データ放送には地上デジタル放送の放送伝送路を用い、第二のデータ放送には地上デジタル放送の放送伝送路の部分受信可能な部分を用いる方法もある。さらに、データ放送にはデジタル放送の放送伝送路を用い、第二のデータ放送には携帯電話やＰＨＳなどの通信伝送路を用いる方法であってもよい。
【００４５】
さらに、データ放送（第二のデータ放送）では、データ放送の情報の識別信号としてＩＤ信号に加えて情報のバージョン信号が各情報に付加されて放送されている。携帯情報端末５の保存部１９には比較器（図示せず）が付加されている。第二の放送デコーダ２７で受信されたデータ放送の情報は（フィルタによって必要な情報が選別されたのち）、比較器によってＩＤ信号とバージョン信号がチェックされ、新しい情報の場合には保存部１９に追加保存され、同じ情報の新しいバージョンのものである場合には保存部１９に保存されていた情報を更新して保存する。この際、新バージョンの情報をそのまま全て放送するのではなく、前のバージョンの情報との差分のみを放送し、伝送容量を節約する方法を採ることもあり、この場合には、保存部１９に保存されていた情報を差分更新して保存する。
【００４６】
例えば、携帯情報端末５Ａを受信機連結型充電器７に載置せずに何日も携帯し続けた場合、受信機３が受信したデータ放送の情報が携帯情報端末５Ａに転送されていないので、携帯情報端末５Ａの保存部１９に保存されているデータ放送の情報と第二の放送デコーダ２７で受信したデータ放送の情報との情報そのものの差やバージョンの差が大きくなる場合がある。この場合に比較器によってＩＤ信号とバージョン信号とがチェックされる際、ＩＤ信号およびバージョン信号の比較に矛盾がないか判別する。判別した結果、不足している情報があった場合、ブラウザ部２１Ａは、表示操作部２３によって携帯情報端末５Ａの利用者に、例えば、「この情報には、欠落した項目があります。」といった形で伝達する。
【００４７】
この実施の形態では、携帯情報端末５Ａが受信機連結型充電器７に載置されたとき、受信機連結型充電器７の充電部１７によって携帯情報端末５Ａに電力が供給されると共に、充電器７の第一インターフェース９および第二インターフェース１１を介して、データ放送の情報が受信機３から携帯情報端末５Ａに転送され、携帯情報端末５Ａの保存部１９に保存される。携帯情報端末５Ａの利用者は、携帯情報端末５Ａを受信機連結型充電器７に載置する操作のみで、煩雑な操作を要することなく、データ放送の情報を携帯情報端末５Ａに保存でき、携帯情報端末５Ａを携帯時に保存されたデータ放送の情報を利用できる。
【００４８】
さらに、携帯情報端末５Ａの利用者が、この携帯情報端末５Ａを携帯中に、第二のデータ放送を直接受信する第二の放送デコーダ２７及び比較器（図示せず）によって、保存されているデータ放送の情報に新規の情報を追加、或いは、保存されているデータ放送の情報を更新するので、携帯情報端末５Ａの利用者は常に最新のデータ放送の情報を利用することができる。
【００４９】
（該携帯情報端末及び受信機連結型充電器を含む装置を利用したデータ放送システム）
図３に示した第二の実施の形態である受信機連結型充電器７を含む装置１Ａを利用したデータ放送システムは、携帯情報端末５Ａが、受信機連結型充電器７によって充電されることが予測される時間帯（夜間）に、放送局から集中してデータ放送を実施し、携帯情報端末５Ａが携帯されていることが予測される時間帯（昼間）に、放送局から夜間に放送したデータ放送の差分、すなわち追加或いは更新情報のみを放送するものである。この実施の形態では、例えば、ほとんどの人が帰宅していると考えられる時間帯である午前１時から午前５時を夜間として集中してデータ放送を実施する。
【００５０】
受信機連結型充電器７を含む装置１Ａでは、夜間に受信機３の蓄積部１５に蓄積したデータ放送の情報を、受信機連結型充電器７の第一インターフェース９及び第二インターフェース１１介して携帯情報端末５Ａに転送し、携帯情報端末５Ａの保存部１９に保存すると共に、携帯情報端末５Ａは昼間に第二の放送デコーダ２７によって直接夜間に放送したデータ放送の差分を受信し、携帯情報端末５Ａの保存部１９に保存する。
【００５１】
これによれば、データ放送を実施する放送局が、夜間に受信側が移動せずに受信する固定受信に適した伝送容量の大きい放送伝送路、例えば、ＢＳデジタル伝送路を使用し、昼間に受信側が移動しつつ受信する移動受信に適した伝送容量の小さい放送伝送路、例えば、地上デジタル音声の伝送路を使用することで、放送局は、情報量に応じた放送伝送路を選択することができ、効率よく、データ放送できる。
また、データ放送を実施する放送局は、第二のデータ放送では、時々刻々とリアルタイムな放送をすることができる。例えば、放送局は、夜間のデータ放送で、翌日（当日）行われるオリンピック競技に出場する選手情報や当該選手が出場した予選の結果等の情報を、予め放送しておき、昼間の第二のデータ放送で当該選手の時々刻々の結果を放送することができる。
【００５２】
また、携帯情報端末５Ａの利用者は、携帯情報端末５Ａを携帯している昼間においても、携帯情報端末５Ａの第二の放送デコーダ２７によって、直接デジタル情報を受信して最新の情報を利用することができる。
【００５３】
以上、一実施形態に基づいて本発明を説明したが、本発明はこれに限定されるものではない。
【００５４】
【発明の効果】
携帯情報端末が受信機連結型充電器に載置されたとき、受信機連結型充電器から携帯情報端末に電力が供給されると共に、受信機連結型充電器を介して、データ放送の情報が受信機から携帯情報端末に転送され、携帯情報端末に保存されるので、携帯情報端末の利用者は、携帯情報端末を受信機連結型充電器に載置する操作のみで、煩雑な操作を要することなく、データ放送の情報を携帯情報端末に保存でき、携帯情報端末を携帯時に保存されたデータ放送の情報を利用できる。
また、受信機連結型充電器を利用したデータ放送システムは、例えば、携帯情報端末が、受信機連結型充電器に載置され、充電される時間帯に、放送局からデータ放送を実施することで、この時間帯に受信機が受信したデータ放送の情報が、受信機連結型充電器を介して携帯情報端末に転送され、携帯情報端末の保存手段に保存される。このため、携帯情報端末の利用者は、携帯情報端末を受信機連結型充電器に載置する操作のみで、データ放送の情報が携帯情報端末に保存でき、携帯情報端末を携帯時に保存されたデータ放送の情報を利用できる。
【図面の簡単な説明】
【図１】本発明による受信機連結型充電器を含む装置の概略を示した構成図である。
【図２】受信機連結型充電器を含む装置の、第一の実施の形態を示すブロック図である。
【図３】受信機連結型充電器を含む装置の、第二の実施の形態を示すブロック図である。
【符号の説明】
１、１Ａ  受信機連結型充電器を含む装置
３  受信機（ホームサーバ）
５、５Ａ  携帯情報端末
７  受信機連結型充電器
９  第一インターフェース
１１  第二インターフェース
１７  充電部（電力供給手段）
１９  保存部（保存手段）
２７  第二の放送デコーダ
【図１】
0004348004.tif 000002
【図２】
0004348004.tif 000003
【図３】
0004348004.tif 000004